(57)【特許請求の範囲】
【請求項１】
１対の両側の縦枠と、両側の縦枠の上端同士を連結する上横枠と、両側の縦枠の下端同士を連結する下横枠とにより構成される方形枠を有する多数のカーテンウォールユニットが、上下、左右に隣接状に配置され、各カーテンウォールユニットの方形枠によって囲まれる方形空間内に、内外を仕切るパネルが嵌め込まれ、パネルの外辺は、方形枠の内辺に形成されるパネル嵌め込み溝に嵌め込まれ、パネル嵌め込み溝とパネル周辺部との間には、パネル嵌め込み溝の内側当接部とパネルの内面辺部との間に介在するようにパネル押さえ用の方形状内側ガスケットが、また、パネル嵌め込み溝の外側当接部とパネルの外面辺部との間に介在するシール手段がそれぞれ設けられて気密性および水密性が保持されている、ビルのカーテンウォールにおいて、
前記方形状内側ガスケットの四隅のコーナー部の各々に、そのコーナー部に沿うアングル形弾性シール材が、パネル内面の辺部と方形状内側ガスケットとの間に挟圧された状態で設けられていることを特徴とするカーテンウォール。
【請求項２】
前記アングル形弾性シール材は内側ガスケットの面に接合されていることを特徴とする請求項１記載のカーテンウォール。
【請求項３】
前記アングル形弾性シール材はスポンジゴムにより形成されていることを特徴とする請求項１または２記載のカーテンウォール。
【請求項４】
前記パネルはガラス板であることを特徴とする請求項１、２または３記載のカーテンウォール
【発明の詳細な説明】
【０００１】
【発明の属する技術分野】
本発明は、ビルのカーテンウォールに係り、特にカーテンウォールユニットの方形枠と、それに嵌め込まれるガラス板のようなパネルとの気密、水密性の向上を図ったカーテンウォールに関する。
【０００２】
【従来の技術】
周知のように、カーテンウォールは、多数のパネル状カーテンウォールユニットを、ビルの躯体の外側に上下、左右に隣接状に配置し固定することによってビルの外側を覆う非強度壁である。カーテンウォールユニットとしては、主面がガラス板からなるものや、全体が不透明パネルで構成されるものがある。
【０００３】
カーテンウォールユニットは通常四角形状をなし、その外周枠は、１対の両側の縦枠と、両側の縦枠の上端同士を連結する上横枠と、両側の縦枠の下端同士を連結する下横枠とにより構成されている。このような外周枠は方形枠であって、この方形枠を強度部材として、それにガラスサッシ、ガラス板、外壁パネル等が装着される。
【０００４】
外周枠と、ガラス板、外壁パネル等のパネルとの接合部には、気密性および水密性を得るためにシール手段が設けられる。すなわち、パネルの外辺は、方形枠の内辺に形成されるパネル嵌め込み溝に嵌め込まれ、パネル嵌め込み溝の内外側壁とパネル周辺部との間には、パネル嵌め込み溝の内側当接部とパネルの内面辺部との間に介在するようにパネル押さえ用の方形状内側ガスケットが、また、パネル嵌め込み溝の外側当接部とパネルの外面辺部との間に介在するガスケット等のシール手段がそれぞれ設けられて気密性および水密性が保持されている。
【０００５】
【発明が解決しようとする課題】
ところで、パネル嵌め込み溝の内外側壁とパネル周辺部との間には、パネル嵌め込み溝の内側当接部とパネルの内面辺部との間に介在するようにパネル押さえ用の方形状内側ガスケットが設けられるが、内側ガスケットをパネルの四辺に緊密に押圧されるように装着しても、内側ガスケットの直線部に比べ四隅のコーナー部についてはシールが十分でなく、漏気が生じてしまい、全体としての気密、水密性が低下してしまうという課題があった。
【０００６】
本発明は、上記課題を解決するためになされたもので、その目的は、内側ガスケットの直線部と同様に四隅のコーナー部においても十分なシールを行うことができ、全体的に気密、水密性が優れたカーテンウォールを得ることにある。
【０００７】
【課題を解決するための手段】
上記課題を解決するため、本発明によるカーテンウォールは、１対の両側の縦枠と、両側の縦枠の上端同士を連結する上横枠と、両側の縦枠の下端同士を連結する下横枠とにより構成される方形枠を有する多数のカーテンウォールユニットが、上下、左右に隣接状に配置され、各カーテンウォールユニットの方形枠によって囲まれる方形空間内に、内外を仕切るパネルが嵌め込まれ、パネルの外辺は、方形枠の内辺に形成されるパネル嵌め込み溝に嵌め込まれ、パネル嵌め込み溝とパネル周辺部との間には、パネル嵌め込み溝の内側当接部とパネルの内面辺部との間に介在するようにパネル押さえ用の方形状内側ガスケットが、また、パネル嵌め込み溝の外側当接部とパネルの外面辺部との間に介在するシール手段がそれぞれ設けられて気密性および水密性が保持されている、ビルのカーテンウォールにおいて、前記方形状内側ガスケットの四隅のコーナー部の各々に、そのコーナー部に沿うアングル形弾性シール材が、パネル内面の辺部と方形状内側ガスケットとの間に挟圧された状態で設けられていることを特徴とする。
【０００８】
前記アングル形弾性シール材は、内側ガスケットの面に接合されているのが適であり、典型的にはスポンジゴムにより形成される。また、前記パネルは典型的にはガラス板である。
【０００９】
【発明の実施の形態】
以下、図面を参照して本発明の実施の形態につき説明する。
【００１０】
図１はビルのカーテンウォールＣＷを立面図で示している。周知のように、カーテンウォールＣＷは、多数のカーテンウォールユニットＣＵを縦横に隣接状に配置したものにより構成されている。各カーテンウォールユニットＣＵは交差する斜線を施した部分に相当する。単一のカーテンウォールユニットＣＵは図２に示すとおりであって、１対の両側の縦枠２、２と、両側の縦枠２、２の上端同士を連結する上横枠３ａと、両側の縦枠２、２の下端同士を連結する下横枠３ｂとからなる外周枠を有している。この外周枠は方形枠である。
【００１１】
図示の実施の形態では、カーテンウォールユニットＣＵは上側のシングルガラス部分４ａと下側のダブルガラス部分４ｂとを有しているが、カーテンウォールユニットの構成はこれに限定されるものではない。外周枠の内側は適当なパネルによって構成することもできるし、一部のみガラス板部で構成することもできる。
【００１２】
縦断面図である図３において、各カーテンウォールユニットの範囲はＣＵにより示してあり、そのシングルガラス部分４ａがコンクリート床５と天井６の部分の高さに対応し、かつダブルガラス部分４ｂが居住空間の開口部の高さに対応するように、各カーテンウォールユニットＣＵがビルの躯体に取り付けられている。
【００１３】
図４は、図３の４Ａ−４Ａ線断面を右半分に、同じく４Ｂ−４Ｂ線断面を左半分に示した平面断面図である。図４において、各カーテンウォールユニットの範囲は符号ＣＵの範囲である。カーテンウォールユニットＣＵの両側には前記した縦枠２、２が縦（上下）方向に設けられている。そして、各縦枠２のカーテンウォールの内外方向に関しての内側には、取付金具１０が取り付けられ、この取付金具１０を介して各縦枠２がビルの躯体のコンクリート床５の縁部に取り付けられている。なお、図４の左側に示す縦枠２はコンクリート床５より下位の断面で示されているので取付金具１０は図示されない。図４の右側はシングルガラス部分４ａに対応する高さの部分であって、シングルガラス部分４ａが左右の縦枠２、２の間に装着されている。また、シングルガラス部分４ａの内側において左右の縦枠２、２間には耐火ボード１１が装着されている。また、下位にあるダブルガラス部分４ｂも左右の縦枠２、２間に装着されている。
【００１４】
図５は、図４の右側に示す縦枠２の部分を拡大して示している。図５に示すように、左右に隣接する２枚のカーテンウォールユニットＣＵの縦枠２同士は左右方向に向き合って配置されている。各縦枠２の主体は、例えばアルミニウム製の型材１３からなり、この型材１３には、左右方向に関しての外側に開放された第１の縦溝１４ａ、第２の縦溝１４ｂ，および第３の縦溝１４ｃが縦枠２の長手方向に沿って形成されている。第１の縦溝１４ａはカーテンウォールの内外方向に関して最も外側に位置し、第２の縦溝１４ｂはカーテンウォールの内外方向に関して最も内側に位置し、第３の縦溝１４ｃは第１の縦溝１４ａと第２の縦溝１４ｂの間に位置している。これらの３つの縦溝は、型材１３の底板部から縦方向隔壁１５、１６、１７、１８を平行に張り出させることにより形成される。
【００１５】
第１の縦溝１４ａは、互いに向き合う１対の縦枠２、２の間の隙間２０を外部に対して塞ぐレインバリアガスケット２１を装着するのに用いられる。また、第２の縦溝１４ｂは、互いに向き合っている１対の縦枠２、２の間の隙間２０を外部に対して塞ぐウインドバリアガスケット２２を装着するのに用いられる。レインバリアガスケット２１は雨水が隙間２０から内部に浸入するのを防ぎ、またウインドバリアガスケット２２は，風等により戸外の空気が隙間２０から内部に侵入するのを防ぐ。第３の縦溝１４ｃは互いに向き合っている１対の縦枠２、２の間に隔離空間２５を形成する。隔離空間２５は、レインバリアガスケット２１を通過して雨水が内部に浸入した場合、それをウインドバリアガスケット２２へ到達させないで流下させる空間を与える。
【００１６】
前記レインバリアガスケット２１は、左右１対のガスケットにより構成される。図５およびその一部の拡大図である図６において、左側の第１の縦溝１４ａに装着されるレインバリアガスケット２１は、第１の縦溝１４ａの入口部に固定的に嵌められる縦方向に長い基端部２６をもち、この基端部２６から前記隙間２０を横切るように縦方向に長いＵ字形断面溝状先端部２７が延びている。先端部２７は比較的硬い弾性材料からなる。また、図５および図６において右側の第１の縦溝１４ａに装着されるレインバリアガスケット２１は、当該縦溝１４ａの入口部に固定的に嵌められる縦方向に長い基端部２６をもち、この基端部２６から前記隙間２０を横切るように縦方向に１枚の板状先端部２８が延びている。板状先端部２８も比較的硬い弾性材料で形成される。板状先端部２８は、Ｕ字形断面溝状先端部２７の内部に突出している。そして、板状先端部２８と、Ｕ字形断面溝状先端部２７との間には隙間２９が形成されている。Ｕ字形断面溝状先端部２７の両側壁と板状先端部２８とはジグザグ状に入り組んでいるから、両者の間に隙間２９があってもその隙間に外部から入り込んだ雨水は入り組んだ形状により実際上侵入を阻止される。よって、レインバリアガスケット２１の部分で外部からの雨水に対する封止作用がなされる。
【００１７】
前記ウインドバリアガスケット２２は、１対の均等なガスケットにより構成されている。各ガスケット２２は、第２の縦溝１４ｂ，１４ｂのうちの一方の縦溝内に縦方向に長い基端部３０が差し込まれて固定され、この基端部３０と一体をなして縦方向の偏平断面チューブ状体３１が設けられている。この偏平断面チューブ状体３１は変形可能な弾性材からなり、各偏平断面チューブ状体３１は他方のガスケット２２の偏平断面チューブ状体３１に反発力をもって当接するように構成されている。このように偏平断面チューブ状体３１が互いに当接することによって風に対する封止作用が得られる。
【００１８】
以上に説明した縦枠２の カーテンウォール内外方向に関して外側には、縦枠延長部分２Ｂと、カーテンウォール内外方向に関して内側に延びる縦枠延長部分２Ｃとが一体的に形成されている。この実施の形態では、前記延長部分２Ｂは前記隔壁１５の先端部から外方に向かって延出する縦方向平板部から構成されている。一方、前記延長部分２Ｃは隔壁１８の基部から内方へ向かって延出する横断面がＬ字状をなす縦方向板部により構成されている。外側の延長部分２Ｂはその内側で、ガスケット３３、３４を介して前記シングルガラス部分４ａを固定している。一方、内側の延長部分２Ｃは前記取付金具１０を介して縦枠２をビル躯体の床５に固定する役割を果たしている。なお、前記耐火ボード１１の端部は、例えば鋼製の固定金具３５、３６によって前記型材１３に固定される。
【００１９】
床５の縁部に沿って固定した固定台（図示されない）に対し前記取付金具１０が貫通ボルト４２により固定される。取付金具１０は前記ボルト４２を挿通する上下方向に長い孔（図示されない）を有する。取付金具１０から前記固定台の上方へ向い突出する突部４５に上下方向にねじ込んで前記固定台の上面に当接させた上下位置調整ボルト４６を回転することにより、取付金具１０の上下方向位置を調節することができ、これによって縦枠２、すなわちカーテンウォールユニットＣＵの上下方向位置を微調整することができる。上下方向位置の調節後、ボルト４２を締め付けると、縦枠２、すなわちカーテンウォールユニットＣＵの上下方向位置が固定される。
【００２０】
カーテンウォールユニットＣＵの一方の側の縦枠２について以上に詳細を説明したが、他方の側の縦枠２についてもその構成は同様であるから説明は省略する。なお、図４に示すカーテンウォールユニットＣＵの左側の縦枠２の外側延長部分２Ｂは、カーテンウォールユニットＣＵの下の部位に設けられるダブルガラス部分４ｂの端部を取り付ける役を果たしている。
【００２１】
図５に示すように、各カーテンウォールユニットＣＵの左右に対向する１対の縦枠２の延長部分２Ｂは、カーテンウォール内外方向の最も外側の部分で、前記外側ガスケット３３、内側ガスケット３４によって、シングルガラス板４ａの側辺を押さえて固定している。外側ガスケット３３および内側ガスケット３４は、ガラス板４ａの内外方向の移動を押さえるとともに、気密、水密状態を得るためにシールしている。外側ガスケット３３、内側ガスケット３４によるガラス板の保持は、図４の左半分におけるダブルガラス板４ｂの場合でも同様で、基本的に同じ構成が採られている。
【００２２】
図９は、縦断面図である図３の一部の拡大図である。この図９において、ＣＵは各カーテンウォールユニットの上下方向の範囲を示している。前述のように、カーテンウォールユニットＣＵは、シングルガラス部分４ａとダブルガラス部分４ｂとを上側および下側にそれぞれ備えている。シングルガラス部分４ａとダブルガラス部分４ｂの間には、無目材６０が設けられている。各カーテンウォールユニットＣＵはすでに述べた下横枠３ｂおよび上横枠３ａを備えている。上横枠３ａとして、図９では、下方に隣接するカーテンウォールユニットＣＵの上横枠３ａが示されている。上側のカーテンウォールユニットＣＵの下横枠３ｂと、下側のカーテンウォールユニットＣＵの上横枠３ａとは上下方向に対向する。そして、下横枠３ｂと上横枠３ａとの間には、隣接する縦枠２、２の間と同様に隙間６１が残される。
【００２３】
図１０は図９の要部の拡大図である。この図１０において、下横枠３ｂは、既に説明した縦枠２の場合とほぼ同様に構成されている。下横枠３ｂの主体は、例えばアルミニウム製の型材からなり、この型材には、下側に開放された第１の横溝７１ａ、第２の横溝７１ｂ，および第３の横溝７１ｃが下横枠３ｂの長手方向に沿って形成されている。第１の横溝７１ａはカーテンウォールの内外方向に関して最も外側に位置し、第２の横溝７１ｂはカーテンウォールの内外方向に関して最も内側に位置し、第３の横溝７１ｃは第１の横溝７１ａと第２の横溝７１ｂの間に位置している。これらの３つの横溝は、型材の底板部から横方向隔壁７２、７３、７４、７５を平行に張り出させることにより形成される。
【００２４】
第１の横溝７１ａは、上下に向き合っている下横枠３ｂおよび上横枠３ａの間の隙間６１を外部に対して塞ぐレインバリアガスケット７７を装着するのに用いられる。また、第２の横溝７１ｂは、上下に対向する下横枠３ｂおよび上横枠３ａの間の隙間６１を外部に対して塞ぐウインドバリアガスケット８０を装着するのに用いられる。レインバリアガスケット７７は雨水が隙間６１から内部に浸入するのを防ぎ、またウインドバリアガスケット８０は空気が隙間６１から内部に侵入するのを防ぐ。これらのレインバリアガスケット７７およびウインドバリアガスケット８０は、縦枠の場合について説明したレインバリアガスケット２１およびウインドバリアガスケット２２の場合と同様な構成を有している。
【００２５】
第３の横溝７１ｃは上下に向き合っている下横枠３ｂおよび上横枠３ａの間に隔離空間８１を形成する。隔離空間８１は、レインバリアガスケット７７を通過して雨水が内部に浸入した場合、それをウインドバリアガスケット８０へ到達させないで流下させる空間を与える。
【００２６】
前記レインバリアガスケット７７は、下横枠３ｂの第１の横溝７１ａの入口部に嵌められる横方向に長い基部７８をもち、この基部７８から前記隙間６１を横切って横方向に長い封止片７９が延びている。この封止片７９は、下側のカーテンウォールユニットＣＵの上横枠３ａの内外方向の中程から上方に一体的に突出させた横方向リブ８４の外面に図示のように重なり合って外部からの雨水に対し封止作用を果たす。
【００２７】
また、前記ウインドバリアガスケット８０は、第２の横溝７１ｂ内に水平方向に長い基端部８６が差し込まれて固定され、その基端部８６から突出する水平方向の偏平断面のチューブ状体からなる先端部８８を備えている。また、その下にある上横枠３ａに嵌め込んだ同様なウインドバリアガスケット９０もウインドバリアガスケット８０と同じ構成を有していて、ウインドバリアガスケット８０の先端部８８に圧接状態で当接する先端部を有している。これら１対の対向するウインドバリアガスケット８０、９０は、横方向に設置されている点を除けば、さきに述べたウインドバリアガスケットの２１、２２と基本的に同じ構成を有している。よって、同様にして、常時強い圧接力を与えなくても風に対する確実な封止作用が得られる。
【００２８】
上述の下横枠３ｂには、カーテンウォール内外方向に関して外側に延びる下枠延長部分７０Ｂと、カーテンウォール内外方向に関して内側に延びる下枠延長部分７０Ｃとが一体的に形成されている。この実施の形態では、前記延長部分７０Ｂは隔壁７２の先端部から外方に向かって延出する溝型材で構成されている。この溝型延長部分７０Ｂはその溝９３の内部に受け材９４およびガラスライナー９５を介して前記シングルガラス部分４ｂを支持している。９６、９７はガラス押えガスケットを示す。一方、前記内側の延長部分７０Ｃは隔壁７５の基部から内方へ向かって延出する縦断面がＬ字状をなす横方向板部により構成されている。
【００２９】
上横枠３ａについても、以上に述べた下横枠３ｂと同じ原理に基づき３本の横溝をもつ構成をとることができるが、図９、１０に示す実施の形態では、上横枠３ａは、下横枠３ｂとはやや異なる構成をもつようにしてある。図１０に示すように、上横枠３ａでは、下横枠３ｂのように３つの横溝７１ａ、７１ｂ、７１ｃを形成する代りに、横溝７１ａ、７１ｃに対応する１つの上向き横溝９８と、横溝７１ｂに対応する１つの上向き横溝９９のみが形成されている。下横枠３ｂの２つの横溝７１ａ、７１ｃに対応するものとして１つのみの横溝９８を設けるだけでよい理由は、下横枠３ｂ横溝７１ａ内に嵌め込むレインバリアガスケット７７に対応するものを上横枠３ａでは使用せず、代りに一体的なリブ８４を立ち上げたことにある。すなわち、上横枠３ａにはレインバリアガスケットを嵌め込む必要がないから、レインバリアガスケット嵌合用横溝と隔離空間形成用の横溝を１つに纏めたことになる。上横枠３ａの横溝９９には、前記ウインドバリアガスケット９０の基部１００が嵌め込まれている。上横枠３ａの前記横溝９８は、レインバリアガスケット７７を通過して内部に入り込んだ雨水等を流す樋の作用を果たす。
【００３０】
既に説明したように、縦枠２に関係する外側ガスケット３３および内側ガスケット３４は、ガラス板４ａ、４ｂの側辺に当接して気密、水密状態の維持をはかるものであるが、この点は上下の横枠３ａ、３ｂについても同様であって、横方向の外側ガスケット９６および内側ガスケット９７がシングルガラス板４ａおよびダブルガラス板４ｂの上下の辺に当接してそれらを保持し、かつ気密、水密状態を維持する。
【００３１】
ガラス板の辺部に当接して辺部を押さえる外側ガスケットおよび内側ガスケット、特に内側ガスケットに関係する構成が本発明の特徴をなすものであり、以下その詳細について説明する。縦方向および横方向の外側ガスケット３３、９６ならびに縦方向および横方向の内側ガスケット３４、９７は、公知のように、縦方向ガスケットと横方向ガスケットが方形枠形状に一体化されている。
【００３２】
図６は、ダブルガラス板４ｂの周辺の押さえとシールを行うガスケットの詳細を示している。図６に示すように、縦枠２と横枠３ａ、３ｂ（上横枠３ａは図に示されていない）は連結されて方形枠を形成し、この方形枠の内辺に沿って、ガラス板の周辺を嵌入する縦方向パネル嵌め込み溝５１ａおよび横方向パネル嵌め込み溝５１ｂが形成されている。よって、両パネル嵌め込み溝５１ａ、５１ｂは全体として方形のパネル嵌め込み溝を形成する。そして、方形枠の左右両側の縦方向パネル嵌め込み溝５１ａには、溝内部へ向かって内方に突出する縦方向外側当接部５２ａ、および溝内部へ向かって外方へ突出する縦方向内側当接部５３ａが形成される。また、方形枠の上下にあるパネル嵌め込み溝５１ｂには、溝内部へ向かって内方に突出する横方向外側当接部５２ｂ、および溝内部へ向かって外方へ突出する横方向内側当接部５３ｂが形成されている。
【００３３】
そして、両外側当接部５２ａ、５２ｂは相互に連結されて一体的な方形外側当接部を構成し、両内側当接部５３ａ、５３ｂも相互に連結されて一体的な方形内側当接部を構成する。方形外側当接部５２ａ、５２ｂの内側には、縦方向外側ガスケット３３および横方向外側ガスケット９６が嵌め込みにより装着され、また方形内側当接部５３ａ、５３ｂの外側には、それぞれ、縦方向内側ガスケット３４および横方向内側ガスケット９７が嵌め込みにより装着される。縦方向外側ガスケット３３および横方向外側ガスケット９６は、相互に連結されて方形の外側ガスケットを形成し、縦方向内側ガスケット３４および横方向内側ガスケット９７も、相互に連結されて方形の内側ガスケットを形成する。
【００３４】
そして、これら方形外側ガスケットおよび方形内側ガスケットの間には、前記ガラス板４ｂの周辺部が挟まれるように挿入されて保持される。ガラス板４ｂの周辺部外面は方形外側ガスケット３３、９６に押さえられるように当接してシール部が形成される。また、ガラス板４ｂの周辺部内面は方形内側ガスケット３４、９７に押さえられるように当接してシール部が形成される。
【００３５】
冒頭で述べたように、従来の技術では、パネル、すなわちガラス板押さえ用の方形内側ガスケットをガラス板の四辺に緊密に押圧されるように装着しても、内側ガスケットの直線部に比べ四隅のコーナー部についてはシールが十分でなく、漏気が生じてしまい、全体としての気密、水密性が低下してしまうという問題があった。本発明によれば、かかる問題を解消して、内側ガスケットの直線部と同様に四隅のコーナー部においても十分なシールを行うことができるようにするために次の構成が採られる。
【００３６】
すなわち、図６に示すように、方形内側ガスケット３４、９７の四隅のコーナー部の各々に、そのコーナー部に沿うアングル形弾性シール材５５が、ガラス板４ｂの内面の辺部と方形内側ガスケット３４、９７との間に挟圧された状態で設けられる。アングル形弾性シール材５５は、互いに直角をなす帯状アーム５５ａ、５５ｂにより構成されており、その断面は典型的には四角形をなしている。また、この弾性シール材５５は好適にはスポンジゴムにより形成されるが、他の弾性材を用いることもできる。
【００３７】
内側ガスケット３４（９７）は、圧縮を受けない自由状態で、図７に一例を示すような断面形状をもつように構成されている。図７の状態では、内側ガスケット３４（９７）は内側当接部５３ａ（５３ｂ）に係合する側では、内側当接部５３ａの突条５６に嵌まる溝を有し、ガラス板４ｂに面する側では例えば３本の突条５７ａ、５７ｂ、５７ｃを一体的に備えている。突条５７ａは最も長く突出している。また、突条５７ａ、５７ｃは互いに離反する方向の成分をもって突出している。そして、内側ガスケット３４（９７）がガラス板４ｂに対し相互に圧接された状態では、３本の突条５７ａ、５７ｂ、５７ｃはガラス板４ｂに押し付けられて変形する。
【００３８】
図７および図８に示すように、弾性シール材５５は、内側ガスケット３４、９７の最も外側の、突条５７ａ、５７ｂ、５７ｃが無い平面状縁部に沿って内側ガスケットのコーナー部にその外側にはみ出さないように接着等により接合される。そして、内側ガスケット３４（９７）がガラス板４ｂに押し付けられると、突条５７ａ、５７ｂ、５７ｃの圧縮変形に伴って、弾性シール材５５は、ガラス板４ｂの内面と内側ガスケット３４（９７）の外面との間で挟圧されて、両者に密着し、コーナー部分におけるシールを確実なものとする。なお、図８に示すように、内側ガスケット３４、９７はそれらを直接接合しないで、コーナー部のみについて設ける別のアングル状弾性部材５８を介して接合するようにするのが好ましい。この場合、弾性シール材５５は、アングル状弾性部材５８の領域に接合されることになる。
【００３９】
なお、カーテンウォールユニットの内側に装着するガラス板に対するシールを行うものとして以上に説明したが、カーテンウォールユニットの内側に装着するのはガラス板以外の任意のパネルであってもよい。したがって、ガラス板をも含めてそれらをパネルと総称する。
【００４０】
【発明の効果】
以上に説明したように、請求項１の発明では、カーテンウォールユニットの方形状内側ガスケットの四隅のコーナー部の各々に、そのコーナー部に沿うアングル形弾性シール材を、パネル内面の辺部と方形状内側ガスケットとの間に挟圧された状態で設けることによって、内側ガスケットの直線部と同様に四隅のコーナー部においても十分なシールを行うことができ、全体的に気密、水密性が優れたカーテンウォールを得ることができる。
【００４１】
また、請求項２の発明ように、アングル形弾性シール材を内側ガスケットの面に接合することによって、内側ガスケットをアングル形弾性シール材と一体的な部材として施工を容易に行うことができる。
【００４２】
請求項３の発明では、アングル形弾性シール材をスポンジゴムにより形成することによって、アングル形弾性シール材のパネル面に対するなじみがよく、優れたシールを得ることができる。
【００４３】
また、請求項４の発明によれば、ガラス板の内側ガスケットによるシールが好適に行われる。
【図面の簡単な説明】
【図１】カーテンウォールを示す立面図。
【図２】カーテンウォールを構成するカーテンウォールユニットの立面図。
【図３】カーテンウォールとビルの躯体の関係を示す縦断面図。
【図４】図３の４Ａ−４Ａ線断面を右半分に、４Ｂ−４Ｂ線断面を左半分に示す断面図。
【図５】図４の右半部の拡大図。
【図６】本発明の要部を示し、方形状ガスケットによるガラス板の押さえおよびシールを行う部分の斜視図。
【図７】図６に示す方形状ガスケットによるガラス板の押さえシール装置の自由状態を示す横断面図。
【図８】方形状ガスケットの隅部の拡大正面図。
【図９】図３の一部の拡大縦断面図。
【図１０】図９の一部拡大図。
【符号の説明】
ＣＷ  カーテンウォール
ＣＵ  カーテンウォールユニット
２  縦枠
３ａ  上横枠
３ｂ  下横枠
4ａ、４ｂ  ガラス板
５  床
１３  型材
２１  レインバリアガスケット
２２  ウインドバリアガスケット
２５  隔離空間
３３、９６  方形外側ガスケット
３４、９７  方形内側ガスケット
５１ａ、５１ｂ  パネル嵌め込み溝
５２ａ、５２ｂ  パネル嵌め込み溝の外側当接部
５３ａ、５３ｂ   パネル嵌め込み溝の内側当接部
５５   アングル形弾性シール材
７１ａ  第１の横溝
７１ｂ  第２の横溝
７１ｃ  第３の横溝
７７  レインバリアガスケット
８０、９０  ウインドバリアガスケット
８１  隔離空間
【図１】
0004536296.tif 000002
【図２】
0004536296.tif 000003
【図３】
0004536296.tif 000004
【図４】
0004536296.tif 000005
【図５】
0004536296.tif 000006
【図６】
0004536296.tif 000007
【図７】
0004536296.tif 000008
【図８】
0004536296.tif 000009
【図９】
0004536296.tif 000010
【図１０】
0004536296.tif 000011